(57)【要約】【課題】簡易な構成であるとともに作業者の安全性にも優れた、斜杭施工時の杭倒れ防止装置、当該装置を用いた斜杭施工方法、及び斜杭施工時の杭倒れを防止可能な全周回転機を提供する。【解決手段】斜杭施工を行う全周回転機において、該全周回転機の前記把持部分の隙間の少なくとも一部に、杭受け材を設置したことを特徴とする斜杭施工時の杭倒れ防止装置とし、当該装置を用いて、杭の傾斜角度から、杭受け材より下側の杭重量と上側の杭重量とのバランスを算定し、杭受け材を支点として杭が倒れない長さの杭を用いた斜杭施工方法とし、或いは、杭の側面を把持する複数の把持部分と複数の把持部分の間に設けられた隙間とを有し、把持部分の隙間の少なくとも一部に杭受け材を備えることを特徴とする、全周回転機とする。【選択図】図３
2014005619.tif 000002
【特許請求の範囲】
【請求項１】
所定の角度に設置された全周回転機に杭を挿入し、杭の外周を把持しながら所定のストローク分だけ地盤に回転貫入させた後、杭の把持を解放して杭の上方をつかみ直し、再び杭の外周を把持しながら杭を地盤に回転貫入させる動作を繰り返すことで斜杭施工を行う場合において、前記全周回転機の把持部分の隙間の少なくとも一部に、杭受け材を設置したことを特徴とする、斜杭施工時の杭倒れ防止装置。
【請求項２】
前記杭受け材は、前記全周回転機の前記把持部分を支持する支持リングに着脱可能に固定されていることを特徴とする、請求項１に記載の斜杭施工時の杭倒れ防止装置。
【請求項３】
前記杭受け材は、前記杭と接する部分に、前記杭との摩擦を低減する摩擦低減手段を備えることを特徴とする、請求項１又は２に記載の斜杭施工時の杭倒れ防止装置。
【請求項４】
請求項１〜３のいずれかに記載の杭倒れ防止装置を用いた斜杭施工方法であって、
前記杭の傾斜角度から、前記杭受け材より下側の杭重量と上側の杭重量とのバランスを算定し、前記杭受け材を支点として杭が倒れない長さの杭を用いることを特徴とする、斜杭施工方法。
【請求項５】
前記杭として先端に翼部を有する回転貫入鋼管杭を用いる場合において、杭長を３ｍ以上６ｍ以下としたことを特徴とする、請求項４に記載の斜杭施工方法。
【請求項６】
杭の側面を把持する複数の把持部分と該複数の把持部分の間に設けられた隙間とを有し、
前記把持部分の前記隙間の少なくとも一部に杭受け材を備えることを特徴とする、全周回転機。
【請求項７】
前記杭受け材が、前記把持部分を支持する支持リングに着脱可能に固定されていることを特徴とする、請求項６に記載の全周回転機。
【請求項８】
前記杭受け材は、前記杭と接する部分に、前記杭との摩擦を低減する摩擦低減手段を備えることを特徴とする、請求項６又は７に記載の全周回転機。
【発明の詳細な説明】
【技術分野】
【０００１】
本発明は、主に土木・建築用の基礎部材として、杭を地面に対して傾斜した状態で貫入する場合において、杭の把持が解放された際、杭の倒れを防止するための装置及びその装置を用いた斜杭施工方法、並びに、杭の倒れを防止可能な全周回転機に関する。
【背景技術】
【０００２】
土木や建築の分野において、構造物の基礎として地盤に杭を埋設することが行われている。杭の種類や杭の埋設方法にはいくつもの種類があるが、例えばその中で、管状である鋼管杭を回転させながら地盤に貫入する回転貫入鋼管杭工法がある。鋼管杭は、杭の本体である鋼管の先端部に所定の形状に形成された先端翼を有する。このような鋼管杭を回転させることにより地盤中で先端翼に推進力が発生し、地盤深くに鋼管杭を貫入させることができる。ここで、鋼管杭は地盤の深さ方向を長手方向として埋設されるのが基本であるが、鋼管杭に傾斜をつけて埋設させることもある。傾斜をつけて埋設する杭は斜杭と呼ばれ、斜杭は地震時等に生じる水平方向の変位を効果的に抑制することができ、耐震構造物の基礎として採用される場合がある。
【０００３】
斜杭施工は、例えば、所定の角度にて設置された全周回転機に杭を挿入し、杭の外周を把持しながら所定のストローク分、杭を地盤に回転貫入させた後、杭の把持を解放して杭の上部をつかみ直し、再び杭の外周を把持しながら杭を地盤に回転貫入させる動作を繰り返すことにより行われる。このように、全周回転機においては杭の把持と解放とが繰り返されることとなるが、斜杭の場合においては杭の解放の際に杭が倒れてしまう虞がある。
【０００４】
斜杭施工時の杭倒れ防止技術としては、例えば特許文献１に、バックホーに斜杭施工用支持装置を取り付け、所定の角度で杭を支えながら施工する技術が開示されている。或いは特許文献２には、全周回転機のステージ上に湾曲形状の杭支持部材を設置し、この杭支持部材の両端に設置されたワイヤーの長さを調整することで、杭を所定の角度で支持しながら施工する技術が開示されている。
【先行技術文献】
【特許文献】
【０００５】
【特許文献１】特開２００４−２７８１３１号公報
【特許文献２】特許第４１２１４１４号公報
【発明の概要】
【発明が解決しようとする課題】
【０００６】
特許文献１、２に開示された技術によれば斜杭施工時の杭倒れを防止することができる。しかしながら、特許文献１に開示された技術にあっては、バックホーのアーム部分に杭支持装置を設けており、当該アーム部分が作業者の運転によって動作させるもので細かな調整が効かないため、杭を所定の角度で支えるための位置決めが困難である。また、杭が倒れる方向にバックホーが位置するため、作業時の安全性に問題があるほか、そもそもバックホーで杭を支えることは建設機械の目的外使用であり、このような形態を実際に採用することは好ましくない。また、特許文献２に開示された技術にあっては、杭支持部材がワイヤーで固定されているため、杭が振れやすく不安定でありやはり安全性に問題がある。また、杭の外径が変わる毎に、ベアリングが設置された高価な杭支持部材を制作する必要があり、コスト的な問題もある。
【０００７】
そこで本発明は、簡易な構成であるとともに作業者の安全性にも優れた、斜杭施工時の杭倒れ防止装置、当該装置を用いた斜杭施工方法、及び斜杭施工時の杭倒れを防止可能な全周回転機を提供することを課題とする。
【課題を解決するための手段】
【０００８】
本発明者らが鋭意研究を進めたところ、全周回転機のチャック部の内側において、把持部分による杭の解放時に杭を支持可能な杭受け材を設けることにより、効果的に斜杭施工時の杭倒れを防止することができることを知見した。
【０００９】
本発明は、上記知見に基づいてなされたものである。すなわち、
第１の本発明は、所定の角度に設置された全周回転機に杭を挿入し、杭の外周を把持しながら所定のストローク分だけ地盤に回転貫入させた後、杭の把持を解放して杭の上方をつかみ直し、再び杭の外周を把持しながら杭を地盤に回転貫入させる動作を繰り返すことで斜杭施工を行う場合において、全周回転機の把持部分の隙間の少なくとも一部に、杭受け材を設置したことを特徴とする斜杭施工時の杭倒れ防止装置である。
【００１０】
尚、本発明において「全周回転機の把持部分」とは、杭の側面に向かって移動することにより杭を把持する一方、杭の側面から離れるように移動することで杭を解放する部分をいい、全周回転機のチャック部に備えられている把持部分をいう。「全周回転機の把持部分の隙間」とは、把持部分により杭が把持された状態において生じる隙間部分をいい、すなわち、チャック部分の内側であって、把持部分の移動経路上にない部分をいう。「全周回転機の把持部分の隙間の少なくとも一部に、杭受け材を設置した」とは、杭受け材が把持部分の動作を妨げることなく、且つ、把持部分が杭を解放した際に、杭が杭受け材の少なくとも一部と接触して支持されるように、隙間の少なくとも一部に杭受け材を設置することを意味する。
【００１１】
第１の本発明において、杭受け材は、全周回転機の把持部分を支持する支持リングに着脱可能に固定されていることが好ましい。杭受け材が着脱可能とされることで、杭受け材を外した状態で、例えば先端翼が付いた回転杭を全周回転機に容易に挿入できる。また、杭受け材を杭径ごとに合った形状のものに、容易に取替えることも可能である。
【００１２】
尚、本発明において「支持リング」とは、その内側に、杭が挿入される空間が形成され、また、その内側で全周回転機チャック部の把持部分を支持するものである。すなわち、把持部分は支持リングの内側において、支持リングの中心に向かって移動することで杭の側面と接触し、杭が把持され、支持リングの中心から外側に向かって移動することで杭の側面から離され、杭が解放される。
【００１３】
第１の本発明において、杭受け材は、杭と接する部分に、杭との摩擦を低減する摩擦低減手段を備えることが好ましい。全周回転機による杭の把持が解放されて杭の上をつかみ直す場合、杭受け材と杭とが接触しながらスライドすることとなるが、杭受け材の接触部分に摩擦を低減する機構または材料を設置することで、杭受け材が杭に沿って滑らかに移動可能となる。
【００１４】
第２の本発明は、第１の本発明に係る杭倒れ防止装置を用いた斜杭施工方法であって、杭の傾斜角度から、杭受け材より下側の杭重量と上側の杭重量とのバランスを算定し、杭受け材を支点として杭が倒れない長さの杭を用いることを特徴とする、斜杭施工方法である。杭施工開始時においては、地盤への杭貫入長さが短い場合、杭が倒れる虞がある。この場合、杭受け材を支点とする杭の重量バランスを考慮し、倒れない長さの杭を用いることで、より安全に配慮した施工が可能となる。
【００１５】
第２の本発明において、杭として先端に翼部を有する回転貫入鋼管杭を用いる場合、杭長を３ｍ以上６ｍ以下とすることが好ましい。このような長さであれば、斜杭施工時の重量バランスに優れ、杭倒れを一層容易に防止しつつ、適切に斜杭施工が可能となる。
【００１６】
第３の本発明は、杭の側面を把持する複数の把持部分と当該複数の把持部分の間に設けられた隙間とを有し、把持部分の隙間の少なくとも一部に杭受け材を備えることを特徴とする、全周回転機である。
【００１７】
第３の本発明において、杭受け材が、把持部分を支持する支持リングに着脱可能に固定されていることが好ましい。
【００１８】
第３の本発明において、杭受け材は、杭と接する部分に、杭との摩擦を低減する摩擦低減手段を備えることが好ましい。
【発明の効果】
【００１９】
本発明においては、全周回転機の把持部分の隙間に杭受け材を設置することで、把持部分による杭の把持を解放して杭をつかみ直す際、杭受け材で杭を支持できるので、杭が倒れることがなく、所定の杭芯、杭傾斜角度を保持した状態で安定的に斜杭施工できる。また、杭受け材は簡易な構造であるため低コストで作製・設置することができ、さらに、作業者の安全性の問題もない。すなわち、本発明によれば、簡易な構成であるとともに作業者への安全性に優れた斜杭施工時の杭倒れ防止装置、当該装置を用いた斜杭施工方法、及び斜杭施工時の杭倒れを防止可能な全周回転機を提供することができる。
【図面の簡単な説明】
【００２０】
【図１】斜杭施工時の全周回転機や杭の状態を説明するための概略図である。
【図２】従来の全周回転機における杭の把持及び解放の動作を説明するための上面概略図である。（Ａ）が杭解放時、（Ｂ）が杭把持時である。
【図３】本発明に係る杭倒れ防止装置を備えた全周回転機における杭の把持及び解放の動作を説明するための上面概略図である。（Ａ）が杭解放時、（Ｂ）が杭把持時である。
【図４】一実施形態に係る杭受け材の固定方法を説明するための概略図である。
【発明を実施するための形態】
【００２１】
１．従来における斜杭施工時の問題点
全周回転機を用いた斜杭施工について、図１、２を参照しつつ具体的に説明する。図１は斜杭施工時の全周回転機１０や杭１の状態を説明するための概略図である。図２は、全周回転機１０における杭１の把持及び解放の動作を説明するための上面概略図であり、杭１が挿入された全周回転機１０のチャック部１０ａの形態を概略的に示している。図２（Ａ）が杭解放時、図２（Ｂ）が杭把持時である。
【００２２】
図１、２に示すように、斜杭施工の際は、傾斜架台２によって全周回転機１０を地盤に対して所定の角度θだけ傾斜させて設置し、ここに杭１を挿入する。図２（Ａ）に示すように、全周回転機１０に杭１を挿入する際は、全周回転機１０のチャック部１０ａにおいて、支持リング１１に支持された把持部分１２、１２、…が杭１の外周を把持することなく、杭１を解放した状態にある。そして杭１の挿入が完了した後、図２（Ｂ）に示すように、チャック部１０ａにおいて把持部分１２、１２、…が支持リング１１の中心に向かって移動し、杭１の外周を把持する。尚、図２（Ｂ）に示すように、把持部分１２、１２、…が杭１を把持した場合、隣り合う把持部分１２、１２、…の間には隙間１３、１３、…が生じる。このように杭１の外周を把持しつつ所定のストローク分だけ杭１を回転させて、杭１を地中に貫入させる。ここで、杭１の先端には所定の形状に形成された先端翼１ａが設けられているため、このような杭１を回転させることによって地盤中で先端翼１ａに推進力が発生し、杭１を地盤深くに貫入させることができる。杭１を所定のストローク分だけ地盤に回転貫入させた後は、図２（Ａ）に示すように杭１の把持を解放し、その後、図２（Ｂ）に示すように杭１の上方をつかみ直し、再び杭１の外周を把持しながら杭１を地盤に回転貫入させる動作を繰り返す。
【００２３】
ここで、全周回転機１０により斜杭施工する際、把持部分１２、１２、…により把持していた杭１を解放した場合、支えを失った杭１は、図２（Ａ）にＸで示される間隔の分だけ、傾き方向に向かってさらに倒れ込む虞がある。特に斜杭施工初期においては、杭１が地中深くに十分に貫入されておらず、杭１が倒れやすい状態にあり、杭１の傾きが大きくずれて、所望の角度に杭１を貫入させることができなくなる虞等があった。
【００２４】
２．斜杭施工時の杭倒れ防止装置
本発明に係る杭倒れ防止装置は、全周回転機１０のチャック部１０ａにおいて把持していた杭１を解放した場合に、杭１の倒れ込みを防止するものである。図３に、本発明に係る杭倒れ防止装置を備えた全周回転機１０のチャック部１０ａの上面概略図を示す。図３は図２と対応しており、図３（Ａ）が杭解放時、図３（Ｂ）が杭把持時である。図３において図２と同一の部材については同符号を付す。
【００２５】
図３に示すように、本発明に係る斜杭施工時の杭倒れ防止装置は、斜杭施工を行う全周回転機１０において、当該全周回転機１０の把持部分１２、１２、…の隙間１３、１３、…の少なくとも一部に、杭受け材１５、１５、…を設置したことを特徴とする。
【００２６】
図３において、杭受け材１５、１５、…は、把持部分１２、１２、…を支持する支持リング１１によって支持されており、当該支持リング１１の内側面から杭１の外周に向かって（すなわち、支持リング１１の中心に向かって）立設された部材である。ここで、杭受け材１５、１５、…の内接円の径は杭１の外径と同一か、それよりも若干大きいものとされる。すなわち、杭１の外径よりも杭受け材１５、１５、…の内接円の径が小さい場合、杭１の挿入及びスライドの際、杭１と杭受け材１５、１５、…とが干渉しあって不具合が生じるため、杭１と杭受け材１５、１５、…との間にはある程度の余裕を持たせ、杭１が杭受け材１５、１５、…の内側をスライド可能とされている必要がある。杭受け材１５、１５、…の内接円の径については、用いる杭１の外径に応じて相対的に決定することができる。例えば、杭受け材１５、１５、…の内接円の径が製作精度を考慮した杭１の最大外径よりも大きいことが好ましく、具体的には、杭１が鋼管杭である場合は、杭１の外径よりも０．５％以上大きいことが好ましい。
【００２７】
図３に示すように、杭受け材１５、１５、…は、把持部分１２、１２、…の間の隙間１３、１３、…に設けられているため、把持部分１２、１２、…の把持・解放動作を阻害することはない。また、杭受け材１５、１５、…が設けられることで、杭解放時（図３（Ａ））において杭１が傾き方向にさらに倒れ込もうとしても、杭受け材１５、１５、…に引っ掛かって支持され、これにより杭倒れを防止することができる。
【００２８】
杭受け材１５、１５、…の形状は、杭１を適切に保持可能な形態であれば特に限定されるものではない。例えば、板状、角柱状、円柱状等の種々の形状を採用することができる。また、杭受け材１５、１５、…の材質についても特に限定されるものではない。金属、セラミック、プラスチック、木材等、種々の材質を採用することができる。いずれにせよ、本発明において杭受け材１５は複雑な形態とする必要がなく安価に作製可能である。
【００２９】
杭受け材１５、１５、…のチャック部１０ａにおける固定方法については、特に限定されるものではなく、杭受け材１５、１５、…の内接円が、杭倒れを防止できるとともに杭受け材１５、１５、…の内側にて杭１をスライドさせることが可能な径を維持できるものであればよい。特に、杭受け材１５、１５、…は、把持部分１２、１２、…を支持する支持リング１１に着脱可能に固定されていることが好ましい。
【００３０】
図４に、支持リング１１に着脱可能に固定された杭受け材１５の一例を概略的に示す。図４は図３（Ａ）の一部を拡大した上面概略図に相当する。図４に示すように、支持リング１１の内側には、杭受け材１５を固定するための固定ガイド１１ａ、１１ａが設けられている。固定ガイド１１ａ、１１ａは、好ましくは溶接等の適当な手段によって、支持リング１１に固定されている。図４においては、支持リング１１の内側に設けられた固定ガイド１１ａ、１１ａの内側に杭受け材１５の一端に設けられた被固定片１５ｂ、１５ｂが下向きに差し込まれることによって、杭受け材１５が支持リング１１の内側面に着脱可能に固定されている。これにより、杭受け材１５は、被固定片１５ｂとは反対側の一端（先端）１５ａにて杭１を受け止め、杭倒れを防止することができる。尚、把持部分１２、１２、…による杭１のつかみ替えの際、杭受け材１５と杭１とが接触したとしても、その摩擦力方向は杭受け材１５を下向きに動かす方向であるため、杭受け材１５が固定ガイド１１ａ、１１ａから上に外されることはない。
【００３１】
このように、杭受け材１５が着脱可能とされることで、杭受け材１５を取り外した状態で、先端翼１ａを備える杭１を全周回転機１０に容易に挿入できる。また、杭受け材１５を杭径に合った形状のものに、容易に取替えることも可能である。すなわち、斜杭施工作業者は、杭の径に応じた杭受け材を適宜選択することで、一台の全周回転機で様々な外径の杭について、杭倒れを防止しつつ順次斜杭施工することができる。また、杭１を全周回転機１０に挿入し、回転貫入施工前に杭受け材１５を設置することができるため、施工途中で杭受け材１５を調整するような作業は必要なく、安全面に一層配慮しつつ斜杭施工を行うことができる。
【００３２】
本発明において杭受け材１５は、杭１と接する部分（上記の先端１５ａ）に、杭１との摩擦を低減する摩擦低減手段を備えることが好ましい。斜杭施工においては、全周回転機１０による杭１の把持が解放されて杭１の上をつかみ直す場合、杭受け材１５と杭１とが接触しながらスライドすることとなるが、杭受け材１５の接触部分に摩擦を低減する手段を設けることで、杭１が滑らかに移動可能となるためである。摩擦低減手段の具体例としては、ローラー、ボールベアリング、ポリテトラフルオロエチレン（ＰＴＦＥ）板、グリース等、杭１との摩擦を低減させ得るあらゆる手段を採用することができる。
【００３３】
以上のように、本発明に係る杭倒れ防止装置においては、全周回転機１０の把持部分１２、１２、…の隙間１３、１３、…の少なくとも一部に杭受け材１５が設置されてなることで、把持部分１２、１２、…による杭１の把持を解放して杭１をつかみ直す際、杭受け材１５で杭１を支持できるので、杭１が倒れることがなく、所定の杭芯、杭傾斜角度を保持した状態で安定的に斜杭施工できる。杭受け材１５は簡易な構造であるため低コストで作製・設置することができ、また作業者の安全性の問題もない。すなわち、本発明によれば、簡易な構成であるとともに作業者への安全性に優れた斜杭施工時の杭倒れ防止装置を提供することができる。
【００３４】
３．杭倒れ防止装置を用いた斜杭施工方法
本発明に係る斜杭施工方法は、上記本発明に係る杭倒れ防止装置を用いた斜杭施工方法であって、杭１の傾斜角度から、杭受け材１５より下側の杭重量と上側の杭重量とのバランスを算定し、杭受け材１５を支点として杭１が倒れない長さの杭を用いることを特徴とする。斜杭施工開始時においては、地盤への杭１の貫入長さが短いため、杭１が倒れやすいが、本発明のように、杭受け材１５を支点とする杭１の重量バランスを考慮し、倒れない長さの杭１を用いることで、より安全に配慮した施工が可能となる。
【００３５】
特に、杭１として、先端に翼部を有する回転貫入鋼管杭を用いる場合、杭１の傾斜角度、鋼管の径・板厚、先端の翼部重量により値がある程度変わるものの、重量バランスから杭１が倒れない杭長を求めると、概ね６ｍ以下となる。また、地面から全周回転機１０の把持部分１２、１２、…までの高さを考慮すると、杭長は、通常、最低３ｍ必要である。したがって、本発明に係る斜杭施工方法において杭１として先端に翼部を有する回転貫入鋼管杭を用いる場合は、杭長を３ｍ以上６ｍ以下とすることが好ましい。
【００３６】
全周回転機に本発明に係る杭倒れ防止装置を設置することで、杭倒れを適切に防止しつつ斜杭施工を行うことができるが、さらに上記の本発明に係る斜杭施工方法に従って斜杭施工を行うことで、施工時の杭倒れを一層適切に防止することができる。
【００３７】
４．全周回転機
上記説明においては、本発明の杭倒れ防止装置としての側面、或いは、斜杭施工方法としての側面を説明した。一方、本発明は、全周回転機そのものとしての側面をも有する。すなわち、本発明に係る全周回転機は、杭１の側面を把持する複数の把持部分１２、１２、…と複数の把持部分１２、１２、…の間に設けられた隙間１３、１３、…とを有し、把持部分１２、１２、…の隙間１３、１３、…の少なくとも一部に杭受け材１５を備えることを特徴とする。各構成については、上記した通りであるため、ここでは説明を省略する。
【００３８】
本発明に係る全周回転機においても、杭受け材１５が、把持部分１２、１２、…を支持する支持リング１１に着脱可能に固定されていることが好ましい。上述したように、杭１の挿入が容易となるほか、杭１の外径に応じて杭受け材１５の形態を選択することで、様々な外径の杭について、杭倒れを防止しつつ容易に斜杭施工することが可能となるためである。
【００３９】
また、本発明に係る全周回転機においても、杭受け材１５は、杭１と接する部分（先端１５ａ）に、杭１との摩擦を低減する摩擦低減手段を備えることが好ましい。
【００４０】
本発明に係る全周回転機は、杭受け材１５を設けたことにより、チャック部１０ａにおける把持部分１２、１２、…による杭１の解放の際に、杭１が杭受け材１５によって支持されるため、杭１が倒れることがなく、所定の杭芯、杭傾斜角度を保持した状態で安定的に斜杭施工できる。杭受け材１５は簡易な構造であるため低コストで作製・設置することができ、また作業者の安全性の問題もない。すなわち、本発明によれば、簡易な構成であるとともに作業者への安全性に優れ、斜杭施工時の杭倒れを防止可能な全周回転機を提供することができる。
【００４１】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う斜杭施工時の杭倒れ防止装置、当該装置を用いた斜杭施工方法、及び、全周回転機もまた本発明の技術的範囲に包含されるものとして理解されなければならない。
【００４２】
例えば、上記説明においては、本発明に係る杭倒れ防止装置として、把持部分１２、１２、…の隙間１３、１３、…のすべてに杭受け材１５、１５、…を備える形態を例示したが、本発明は当該形態に限定されるものではない。杭１が傾いて、杭１を保持する必要がある部分にのみ杭受け材１５を設けるだけであってもよい。ただし、杭倒れを確実に防止できる観点からは、隙間１３、１３、…の複数箇所に杭受け材１５、１５、…を備えることが好ましく、隙間１３、１３、…のすべてに杭受け材１５、１５、…を備えることが特に好ましい。
【００４３】
また、上記説明においては、本発明に係る杭倒れ防止装置として、支持リング１１に杭受け材１５、１５、…が固定される形態を例示したが、本発明は当該形態に限定されるものではない。把持部材１２、１２、…の間の隙間１３、１３、…の少なくとも一部に杭受け材１５が設置され、杭受け材１５の一端１５ａにて杭を支持して、杭倒れを適切に防止可能とされてさえいれば、全周回転機１０の支持リング１１以外の部分に、杭受け材１５の他端が固定されていてもよい。ただし、容易且つ一層適切に杭受け材１５を機能させる観点からは、把持部分１２、１２、…を固定する支持リング１１に、杭受け材１５を固定することが好ましい。
【００４４】
また、上記説明においては、本発明に係る杭倒れ防止装置として、杭受け材１５が、固定ガイド１１ａ、１１ａと被固定片１５ｂ、１５ｂとの関係によって支持リング１１に着脱可能に固定される形態を例示したが、本発明は当該形態に限定されるものではない。杭受け材１５の一端をネジ等の固定部材によって支持リング１１の内側面に対して着脱可能に固定してもよい。ただし、より容易に杭受け材１５を着脱可能に固定する観点からは、固定ガイド１１ａ、１１ａに被固定片１５ｂ、１５ｂを落とし込んで差し込むことで、杭受け材１５を着脱可能に固定する形態が好ましい。
【００４５】
また、上記説明においては、杭１が先端翼１ａを有するものとして説明したが、本発明は当該形態に限定されるものではない。例えば鋼管の先端に掘削ビットを取り付けた杭等、種々の杭を用いることも可能である。ただし、地盤への貫入性に優れ、無排土、低振動・低騒音で斜杭施工が可能な観点から、杭１として先端翼１ａを有するもの、特に先端翼１ａを有する回転貫入鋼管杭を用いることが好ましい。
【００４６】
また、上記説明においては、全周回転機１０のチャック部１０ａ以外の部分について、具体的な説明を省略したが、チャック部１０ａ以外の部分については従来の全周回転機の構成を適宜採用することができる。チャック部１０ａ以外の部分の具体例としては、例えば、特許第４１２１４１４号公報に記載されたような構成を採用可能である。さらに、全周回転機１０の傾斜架台２の形態についても、従来から用いられてきた傾斜架台２をいずれも採用可能である。例えば、特開２０１２−３６５８８号公報に記載されたような斜杭貫入用架台を好ましく採用することができる。
【産業上の利用可能性】
【００４７】
本発明は、主に土木・建築用の基礎部材として、杭を地面に対して傾斜した状態で貫入する場合において、貫入機による杭の把持が解放された際、杭の倒れを防止するための装置及びその装置を用いた斜杭施工方法、並びに、杭の倒れを防止可能な全周回転機として利用可能である。
【符号の説明】
【００４８】
１  杭
１ａ  先端翼
２  傾斜架台
１０  全周回転機
１０ａ  チャック部
１１  支持リング
１１ａ  固定ガイド
１２  把持部分
１３  隙間
１５  杭受け材
１５ａ  先端
１５ｂ  被固定片
【図１】
2014005619.tif 000003
【図２】
2014005619.tif 000004
【図３】
2014005619.tif 000005
【図４】
2014005619.tif 000006